(57)【要約】【課題】鉄塔内に作られた鳥の巣を効率よく除去することができ、しかも、持ち運びが容易な営巣除去袋を提供する。【解決手段】本発明の営巣除去袋は、ビニル製の本体１と、絶縁性を有する一対の棒状体２，２と、この棒状体２の一端に設けられた挟持具３と、棒状体２の両端近傍にそれぞれ両端が連結された紐状体と、棒状体２の両端近傍に連結具を介してそれぞれ連結可能に形成された２種類の連結部材と、鉄塔部材Ｌに対して掛止可能に形成された複数の掛止具９を備えている。【選択図】図１
2018038308.tif 000002
【特許請求の範囲】
【請求項１】
鉄塔に設置された状態で使用される営巣除去袋であって、
平行かつ水平に配置される一対の棒状体と、
上面が開口するとともに一対の前記棒状体によって一対の第１の側面の上端部が吊下げられるようにして保持される袋体と、
水平に配置されて前記第１の側面と直交する第２の側面に一辺の少なくとも一部が縫着されるシート体と、
鉄塔部材に対して掛止可能に前記シート体の周縁部に取り付けられる複数の掛止具と、
前記鉄塔部材を挟持可能に前記棒状体の前記シート体に近い側の端部に設けられる挟持具と、を備えたことを特徴とする営巣除去袋。
【請求項２】
上面が開口するように前記シート体の一部に凹部が設けられたことを特徴とする請求項１に記載の営巣除去袋。
【請求項３】
前記凹部は、前記シート体の前記一辺の周縁部に設けられるとともに前記袋体に面する側に側面開口部が形成され、
前記袋体は、前記第２の側面に前記側面開口部と連通するように切欠きが形成されたことを特徴とする請求項２に記載の営巣除去袋。
【請求項４】
前記棒状体に両端が所望の間隔をあけてそれぞれ連結される紐状体を備えたことを特徴とする請求項１乃至請求項３のいずれか１項に記載の営巣除去袋。
【請求項５】
一対の前記棒状体同士を連結可能に形成される連結部材を備えたことを特徴とする請求項１乃至請求項４のいずれか１項に記載の営巣除去袋。
【請求項６】
前記連結部材は前記シート体の下方へ向いた側の面に取り付けられたことを特徴とする請求項５に記載の営巣除去袋。
【発明の詳細な説明】
【技術分野】
【０００１】
本発明は、送電線の鉄塔等に作られた鳥の巣を除去する際に用いられる営巣除去袋に係り、特に、背負子の形にして持ち運ぶことができる営巣除去袋に関する。
【背景技術】
【０００２】
鳥が送電線の鉄塔等に巣を作る際に、その材料としてハンガー等の金属部品を用いることがあるが、このような材料が電線に触れると送電事故を引き起こすため、鉄塔等に作られた鳥の巣は定期的に除去する必要がある。
従来、鉄塔等に作られた鳥の巣を除去する場合、棒などで突いて地上に落下させていた。しかし、この方法では、落下した巣が地上に散乱して通行の障害になったり、周辺の美観を損ねる要因になったりするなどの問題があった。
【０００３】
このような問題を解決するものとして、例えば、特許文献１には、「営巣除去用絶縁工具及びこれを用いた営巣除去方法」という名称で、営巣材料の下方に長幹支持碍子が配置されている場合でも、活線状態で営巣材料を効率よく除去することが可能な工具とそれを用いて営巣を除去する方法に関する発明が開示されている。
この発明は、２本の絶縁棒の間に絶縁シートが張設され、この絶縁シートに連接して、営巣材料を収納する袋体が設けられるとともに、絶縁シートの前端部に形成された切り欠き凹部の周縁部位に、碍子の一部を閉状態で抱持する一対の絶縁爪が開閉自在に装着されたことを特徴とする。
このような構造であれば、送電用構築物に垂設された碍子の上方に集積された営巣材料を除去する際に生じる屑が碍子の下方に配置した絶縁シートによって受け止められるため、作業者は屑の飛散を心配することなく、営巣材料の除去作業に集中することができる。
【０００４】
また、特許文献２には、「地上落下防止用ネット」という名称で、電柱等に作られた鳥の巣を地上に落下させることなく除去する技術に関する発明が開示されている。
この発明は、網状体が張設された枠体に、複数の係止部材が取り付けられた構造となっている。したがって、鳥の巣等を除去する際に、この発明を用いた場合、網状体が鳥の巣を受け止めて地上への落下を防ぐという機能を発揮するため、作業者は安全に鳥の巣等を除去することができる。
【０００５】
さらに、特許文献３には、「営巣除去袋」という名称で、送電線等の鉄塔の上部に作られたカラス等の巣を除去する際に用いられる袋に関する発明が開示されている。
この発明は、カラス等の巣を収納する袋体の受け口に受けシートが取り付けられ、袋体の受け口と受けシートに、複数の固定用係止具が紐状の弾性部材を介して取り付けられた構造となっている。
このような構造であれば、巣を除去する際にバラバラになった小枝や塵埃等を受けシートが受け止めるため、散乱させることなく、営巣材料を除去することができる。
【先行技術文献】
【特許文献】
【０００６】
【特許文献１】特開２０１４−１５５３６６号公報
【特許文献２】特開２００８−２６１１２３号公報
【特許文献３】特開２００８−２９２６５号公報
【発明の概要】
【発明が解決しようとする課題】
【０００７】
特許文献１に記載された発明では、絶縁シートが碍子によって支持される構造であり、鉄塔の内部などのように碍子が設置されていない場所には絶縁シートを設置することができないため、鉄塔の内部に集積された営巣材料を除去する場合には用いることができないという課題があった。
【０００８】
特許文献２に記載された発明では、鉄塔の内部に作られた鳥の巣を除去する場合、網状体を鉄塔の内部に設置して、その中へ鳥の巣を落とし込む必要があるが、鳥の巣が収容された状態の網状体は嵩張るため、鉄塔の内部から取り出す作業が困難となる。また、営巣材料には枝や土が含まれるが、この発明では、網状体に枝が絡み易いため、捕集した巣を網状体から取り出す作業が容易でない。さらに、網状体では、そもそも土を捕集できないという課題があった。
【０００９】
特許文献３に記載された発明は、鉄塔の内部に作られた鳥の巣の下方に設置して、上方から鳥の巣を落とし込むようにして回収するものであるが、鉄塔の内部には複数のアングル材等が設置されているため、巣を下方へ落とすには、アングル材の隙間より小さくなるように巣を分解する必要がある。しかしながら、巣は木の枝や洗濯用のハンガーなどが複雑に絡み合わさった状態で構成されていることが多いため、分解することは容易でない。また、本発明の「営巣除去袋」に鉄塔の内部で巣を入れると、嵩張った状態となり、塔体の隙間から取り出すことが困難となる。
【００１０】
本発明はかかる従来の事情に対処してなされたものであって、鉄塔内に作られた鳥の巣を効率よく除去することができ、しかも、持ち運びが容易な営巣除去袋を提供することを目的とする。
【課題を解決するための手段】
【００１１】
上記目的を達成するため、第１の発明は、鉄塔に設置された状態で使用される営巣除去袋であって、平行かつ水平に配置される一対の棒状体と、上面が開口するとともに一対の棒状体によって一対の第１の側面の上端部が吊下げられるようにして保持される袋体と、水平に配置されて第１の側面と直交する第２の側面に一辺の少なくとも一部が縫着されるシート体と、鉄塔部材に対して掛止可能にシート体の周縁部に取り付けられる複数の掛止具と、鉄塔部材を挟持可能に棒状体のシート体に近い側の端部に設けられる挟持具と、を備えたことを特徴とするものである。
なお、本発明において、「シート体が水平に配置される」というときには、「シート体が略水平に配置される」場合も含まれるものとし、「一対の棒状体が水平かつ平行に配置される」というときには、「一対の棒状体が略水平かつ略平行に配置される」場合も含まれるものとする。
【００１２】
このような構造の営巣除去袋においては、鉄塔内に作られた鳥の巣の下方でシート体を展開して水平に配置し、掛止具を介して鉄塔部材に固定するとともに、鉄塔から水平方向へ突出した状態となるように一対の棒状体を配置して挟持具で鉄塔部材を挟持すると、袋体が鉄塔の外部に配置されるという作用を有する。
また、鳥の巣の下方に配置されたシート体が、巣本体からこぼれ落ちた営巣材料を受け止めて、その地上への落下を防ぐという作用を有する。そして、シート体を折り畳んで袋体に収納すると、全体として嵩張らない状態になるが、このとき、シート体は袋体の収容物が外にこぼれ出すことを防ぐカバーとして機能し、一対の棒状体は持ち手としての機能を発揮する。
【００１３】
また、第２の発明は、第１の発明において、上面が開口するようにシート体の一部に凹部が設けられたことを特徴とするものである。
このような構造の営巣除去袋においては、第１の発明の作用に加えて、凹部の中に営巣材料を落とし込んだ場合、風の影響によって飛散する可能性が低いという作用を有する。また、シート体を袋体に収納する際には、その内側にくるまれた収容物が凹部によって保持されるという作用を有する。
【００１４】
第３の発明は、第２の発明において、凹部は、シート体の一辺の周縁部に設けられるとともに袋体に面する側に側面開口部が形成され、袋体は、第２の側面に側面開口部と連通するように切欠きが形成されたことを特徴とするものである。
このような構造の営巣除去袋においては、第２の発明の作用に加えて、凹部が、その中に落とし込まれた営巣材料を側面開口部から切欠きを通して袋体へ案内するという作用を有する。
【００１５】
第４の発明は、第１の発明乃至第３の発明のいずれかにおいて、棒状体に両端が所望の間隔をあけてそれぞれ連結される紐状体を備えたことを特徴とするものである。
このような構造の営巣除去袋においては、第１の発明乃至第３の発明のいずれかの作用を有することに加え、シート体を折り畳んで袋体に収納すると、全体が紐状体を背負い紐とする背負子の形になるという作用を有する。
なお、本願における所望の間隔とは営巣除去袋を使用する際に使用者の作業勝手に沿って適宜定められる寸法を意味する。
【００１６】
第５の発明は、第１の発明乃至第４の発明のいずれかにおいて、一対の棒状体同士を連結可能に形成される連結部材を備えたことを特徴とするものである。
このような構造の営巣除去袋においては、第１の発明乃至第４の発明のいずれかの作用に加え、シート体を折り畳んで袋体に収納した状態で連結部材を介して一対の棒状体同士を連結すると、全体が一体化して、その状態が維持されるというという作用を有する。
【００１７】
第６の発明は、第５の発明において、連結部材はシート体の下方へ向いた側の面に取り付けられたことを特徴とするものである。
このような構造の営巣除去袋においては、第５の発明の作用に加え、シート体を折り畳んで袋体に収納した状態で連結部材を介して一対の棒状体同士を連結すると、連結部材を介してシート体が一対の棒状体に連結されるという作用を有する。
【発明の効果】
【００１８】
鉄塔内に作られた鳥の巣の真下に袋体を設置すると、鉄塔部材の隙間を通るように鳥の巣を分解し、ばらばらになった営巣材料を何回かに分けて袋体へ落とし込む作業を行う必要があるため、鳥の巣の撤去に時間を要する。また、鳥の巣を分解する際に発生した営巣材料の屑が地上へ落下して飛散するそれがある。
一方、第１の発明では、袋体が鉄塔の外部に配置されるため、鳥の巣を横方向に配置された複数の鉄塔部材の隙間を通して落とす代わりに、鉄塔から水平方向に取り出すことになるが、鉄塔部材の高さ方向の間隔は広くとられているため、鳥の巣を分解して小さくする必要はない。したがって、本発明によれば、鉄塔内に作られた鳥の巣を短時間で効率よく撤去することが可能である。また、その際に巣本体から営巣材料の一部がこぼれ落ちたとしてもシート体によって捕集されるため、地上へ落下して飛散する心配はない。さらに、本発明によれば、袋体に収容した鳥の巣をこぼすことなく、安全かつ容易に持ち運ぶことが可能である。
【００１９】
第２の発明によれば、第１の発明の効果に加え、袋体に巣本体を収容した後、捕集した営巣材料ごとシート体を袋体に収納する際に、営巣材料をこぼすことなく確実に袋体に収容することができるという効果を奏する。
【００２０】
第３の発明によれば、シート体を折り畳んで袋体に収納する際に、内側にくるんだ営巣材料をこぼすことなく確実に袋体に収容できるという第２の発明の効果がより一層発揮される。
【００２１】
第４の発明によれば、第１の発明乃至第３の発明のいずれかの効果を奏することに加え、シート体を折り畳んで袋体に収納すると、背負子として扱うことができるため、安全かつ容易に持ち運ぶことができるという第１の発明の効果がより一層発揮される。
【００２２】
第５の発明によれば、第１の発明乃至第４の発明のいずれかの効果を奏することに加え、持ち運んでいる途中でシート体が勝手に展開してしまうおそれがないため、安全かつ容易に持ち運ぶことができるという第１の発明の効果がより一層発揮される。
【００２３】
第６の発明によれば、第５の発明の効果に加え、シート体を折り畳んで袋体に収納した状態で連結部材を介して一対の棒状体同士を連結すると、シート体も一対の棒状体に連結されることになるため、持ち運んでいる途中でシート体が勝手に展開してしまうことを確実に防ぐことができるとうい効果を奏する。したがって、安全かつ容易に持ち運ぶことができるという第１の発明の効果がより一層発揮される。
【図面の簡単な説明】
【００２４】
【図１】本発明の実施の形態に係る営巣除去袋が鉄塔に取り付けられた状態の一例を模式的に表した図である。
【図２】（ａ）は営巣除去袋の本体を展開した状態を示す平面図であり、（ｂ）及び（ｃ）はそれぞれ同図（ａ）におけるＡ−Ａ線矢視断面図及びＢ−Ｂ線矢視断面図である。
【図３】（ａ）は営巣除去袋を構成する棒状体の外観図であり、（ｂ）及び（ｃ）は連結部材の外観図である。
【図４】シート体が袋体の中に収納された状態を示す営巣除去袋の外観図である。
【図５】（ａ）は鉄塔の内部に鳥の巣が作られた状態を模式的に表した図であり、（ｂ）は図１に示した営巣除去袋が鉄塔に取り付けられた状態を模式的に表した側面図である。
【発明を実施するための形態】
【００２５】
本発明の営巣除去袋について図１乃至図５を用いて説明する。なお、以下の説明では、図１に示したように鉄塔へ実際に設置した状態を想定して、「上端」や「下端」あるいは「上面」や「下方」などの語句を用いている。
【実施例】
【００２６】
図１は本発明の営巣除去袋が鉄塔に取り付けられた状態の一例を模式的に表した図である。また、図２（ａ）は営巣除去袋の本体を展開した状態を示す平面図であり、図２（ｂ）及び図２（ｃ）はそれぞれ図２（ａ）におけるＡ−Ａ線矢視断面図及びＢ−Ｂ線矢視断面図である。
図３（ａ）は営巣除去袋を構成する棒状体の外観図であり、図３（ｂ）及び図３（ｃ）は一対の棒状体同士を連結する際に用いられる２種類の連結部材の外観をそれぞれ示した図である。
なお、図１では、紐状体や連結部材の図示を省略するとともに、鉄塔部材の一部を破線で示している。また、図２（ｂ）では、シート体に取り付けられている係止具、連結具及び連結部材の図示を省略している。そして、図３（ｃ）では、連結部材の構造を説明するために、便宜上、開閉部が開いた状態と閉じた状態を一つの図の中に示している。
【００２７】
図１乃至図３に示すように、本発明の営巣除去袋は、ビニル製の本体１と、プラスチックなどの絶縁材料によって形成された一対の棒状体２，２と、この棒状体２の端部２ａに設けられた挟持具３と、棒状体２の端部２ａ，２ｂの近傍に両端がそれぞれ連結された紐状体４と、棒状体２の端部２ａ，２ｂの近傍にそれぞれ取り付けられた連結具５，６と、連結具５，６を介して棒状体２に対して連結可能に形成された連結部材７，８と、鉄塔部材Ｌに対して掛止可能に形成された複数の掛止具９を備えている。
【００２８】
本体１は、上面が開口した袋体１０と、袋体１０の上面と略平行をなすように一つの辺１１ａの略中央部が所望の幅で側面１０ａに縫着された矩形状のシート体１１からなる。なお、シート体１１は、袋体１０に縫着されていない残りの辺１１ｂ〜１１ｄの周縁部に複数の鳩目１２が略等間隔に設けられており、各鳩目１２には、先端部が鉤状に形成された金属製の掛止具９がそれぞれ取り付けられている。また、シート体１１の辺１１ａの周縁部には、袋体１０に面する側と上面が開口した凹部１３が形成されている。さらに、シート体１１の下方へ向いた側の面（裏面１１ｅ）には、幅方向の略中央に連結部材８が取り付けられている。
【００２９】
袋体１０の側面１０ａは開口端側から下方へ向かって所望の長さの切欠き１０ｂが凹部１３と同じ幅で設けられている。そして、シート体１１は、凹部１３の側面開口部１３ａが切欠き１０ｂと連通し、かつ、凹部１３の底面１３ｂと側面１０ａの上端１０ｃが同じ高さになるように設置されている。なお、辺１１ａのうち、袋体１０に当接する部分は側面１０ａに対して隙間なく縫着されている。また、辺１１ａのうち、袋体１０の側面１０ａに縫着されていない凹部１３から辺１１ｂ，１１ｄまでの部分には、これを底辺とする直角三角形状のシート部材１４，１４がそれぞれ延設されており、シート部材１４，１４は直角を挟む他の一辺が袋体１０の切欠き１０ｂの側端部１０ｄ，１０ｄに縫着されている。
【００３０】
袋体１０には、側面１０ａと直交する一対の側面１０ｅ，１０ｅの上端に複数の吊下環１０ｆが設けられており、一対の棒状体２，２は、これら複数の吊下環１０ｆにそれぞれ挿通された状態で袋体１０を保持する構造となっている。
また、袋体１０の側面１０ｅ，１０ｅは下端側の辺よりも上端側の辺の方が長い台形状をなしており、側面１０ａと対向する側面１０ｇは上端側が下端側よりも前方へ位置するように傾斜した状態となっている。
【００３１】
挟持具３は、頭部３ａに設けられた挟持片３ｂと、棒状体２の軸方向へスライドする可動部３ｄに設けられた挟持片３ｃによってアングル材などの鉄塔部材Ｌを挟持し、可動レバー３ｅと固定レバー３ｆを握るごとに挟持片３ｂ，３ｃの間隔が徐々に狭まる構造となっている。また、可動部３ｃにはバネ（図示せず）が内蔵されており、挟持片３ｂ，３ｃの間隔が狭まった状態で解除ボタン３ｇを押すと、このバネの作用によって挟持片３ｂ，３ｃの間隔が広くなる方向へ可動部３ｄがスライドする構造となっている。
ただし、挟持具３は、このような構造に限定されるものではなく、例えば、ネジ軸を回動させることによって一対の挟持片の間隔を広狭させる、いわゆる、クランプのような機構を備えたものであっても良い。
【００３２】
連結部材７は、紐状体１５の両端に連結金具１６，１６がそれぞれ取り付けられた構造であり、連結金具１６は、フック１６ａと、フック１６ａの基端を軸として回動することでフック１６ａの開口部を開閉するピン１６ｂと、上記開口部を閉じる方向へピン１６ｂを付勢するバネ（図示せず）によって構成されている。
連結部材８は、紐状体１７の一端に連結金具１８が取り付けられた構造であり、連結金具１８は一対のフック１８ａ，１８ａを備えている。そして、フック１８ａの開口部はつまみ１８ｃを持ってピン１８ｂをスライドさせることによって開閉する構造となっており、フック１８ａには、フック１８ａの開口部を閉じる方向へピン１８ｂを付勢するバネ（図示せず）が内蔵されている。
【００３３】
連結具５は環状部材であり、挟持具３の可動部３ｄに取り付けられている。一方、連結具６は半環状部材であり、両端が棒状体２の端部２ｂの近傍にそれぞれ固設されている。
そして、連結部材７の連結金具１６は連結具５へ連結可能な構造となっており、連結部材８の連結金具１８は連結具６へ連結可能な構造となっている。
【００３４】
図４はシート体１１が袋体１０の中に収納された状態を表している。
本発明の営巣除去袋は、シート体１１を折り畳んで袋体１０に収納すると、図４に示すように、紐状体４，４を背負い紐とする背負子の形になり、全体として嵩張らない状態となる。なお、このとき、シート体１１は袋体１０の収容物が外にこぼれ出すことを防ぐカバーとして機能し、一対の棒状体２，２は持ち手として機能する。
また、連結部材７，８を介して一対の棒状体２，２の端部２ａ，２ｂ同士をそれぞれ連結すると、営巣除去袋は全体が一体化され、連結部材７，８を取り外すまで、その状態は維持される。このとき、連結部材８を介してシート体１１も棒状体２，２に連結される。したがって、営巣除去袋を持ち運んでいる途中でシート体１１が勝手に展開してしまうことはない。
【００３５】
このように、本発明の営巣除去袋によれば、背負子として扱うことができる。そして、持ち運んでいる途中でシート体１１が勝手に展開してしまうおそれがないため、収容した鳥の巣をこぼすことなく、安全かつ容易に持ち運ぶことが可能である。なお、紐状体４，４を背負い紐として利用する代わりに、棒状体２，２を持ち手として利用することもできる。この場合も、袋体１０を直に手で持つ場合に比べれば、格段に持ち運びが容易である。
【００３６】
図５（ａ）は鉄塔の内部に鳥の巣が作られた状態を模式的に表した図であり、図５（ｂ）は本発明の営巣除去袋が鉄塔に取り付けられた状態を模式的に表した側面図である。なお、図５（ｂ）では、紐状体４、連結具５，６、連結部材７，８については、図が煩雑になるのを避けるため、その図示を省略している。また、図１乃至図４に示した構成要素については、同一の符号を付して、その説明を省略する。
【００３７】
図５（ａ）に示すように、鉄塔内に作られた鳥の巣Ｓを撤去する場合に、鳥の巣Ｓの真下に袋を設置すると、鉄塔部材Ｌの隙間が狭いため、鳥の巣Ｓを分解し、ばらばらにした状態で複数回に分けて袋の中へ落とし込まなければならず、作業に時間を要する。また、この場合、鳥の巣Ｓを分解する際に発生した営巣材料の屑が地上へ落下して飛散するおそれもある。
【００３８】
一方、本発明の営巣除去袋において、鉄塔内に作られた鳥の巣Ｓの下方でシート体１１を展開して水平に配置し、複数の掛止具９を介して鉄塔部材Ｌに固定するとともに、水平に設置された１本の鉄塔部材Ｌを挟持具３，３で挟持して、一対の棒状体２，２を鉄塔から水平方向へ突出した状態にすると、袋体１０が鉄塔の外部に配置される（図１又は図５（ｂ）参照）。このとき、図５（ｂ）に矢印Ｃで示すように、巣本体から営巣材料の一部がこぼれ落ちたとしても、シート体１１によって受け止められるため、それらが地上へ落下することはない。
【００３９】
すなわち、本発明の営巣除去袋においては、袋体１０が鉄塔の外部に配置されるため、鳥の巣Ｓを横方向に配置された複数の鉄塔部材Ｌの隙間を通して落とす代わりに、図５（ｂ）に矢印Ｄで示すように、鳥の巣Ｓを鉄塔から水平方向に取り出すことになる。しかし、通常、鉄塔部材Ｌの高さ方向の間隔は広くとられているため、本発明によれば、鉄塔の内部に袋体１０が設置される場合とは異なり、鳥の巣Ｓを分解して小さくする必要がなく、鳥の巣Ｓを短時間で効率よく撤去することが可能である。
【００４０】
また、営巣材料の屑がシート体１１に落下した場合、これを凹部１３の中へ落とし込むと、風の影響を受け難いため、飛散する可能性が低い。そして、シート体１１を袋体１０に収納する際には、その内側にくるまれた営巣材料の屑が凹部１３によって保持されるため、本発明によれば、シート体１１に落下した営巣材料の屑をこぼすことなく袋体１０に収容することができる。
さらに、凹部１３は、その中へ落とし込まれた営巣材料の屑を側面開口部１３ａから切欠き１０ｂを通して袋体へ案内する通路を形成するため、シート体１１に落下した営巣材料の屑を袋体１０へ確実に収容することが可能となっている。
【産業上の利用可能性】
【００４１】
本発明は、送電線の鉄塔等に作られた鳥の巣を除去する際に利用可能である。
【符号の説明】
【００４２】
１…本体  ２…棒状体  ２ａ，２ｂ…端部  ３…挟持具  ３ａ…頭部  ３ｂ，３ｃ…挟持片  ３ｄ…可動部  ３ｅ…可動レバー  ３ｆ…固定レバー  ３ｇ…解除ボタン  ４…紐状体  ５，６…連結具  ７，８…連結部材  ９…掛止具  １０…袋体  １０ａ…側面  １０ｂ…切欠き  １０ｃ…上端  １０ｄ…側端部  １０ｅ…側面  １０ｆ…吊下環  １０ｇ…側面  １１…シート体  １１ａ〜１１ｄ…辺  １１ｅ…裏面  １２…鳩目  １３…凹部  １３ａ…側面開口部  １３ｂ…底面  １４…シート部材  １５…紐状体  １６…連結金具  １６ａ…フック  １６ｂ…ピン  １７…紐状体  １８…連結金具  １８ａ…フック  １８ｂ…ピン  １８ｃ…つまみ  Ｌ…鉄塔部材  Ｓ…鳥の巣  
【図１】
2018038308.tif 000003
【図２】
2018038308.tif 000004
【図３】
2018038308.tif 000005
【図４】
2018038308.tif 000006
【図５】
2018038308.tif 000007